(57)【特許請求の範囲】
【請求項１】
印刷装置を制御する情報制御装置であって、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段と、
を備えた情報制御装置。
【請求項２】
前記制御手段は、前記用紙の排出先の変更が、前記期間に受け付けられた場合、前記変更後の排出先の場所を他の排出先の場所と異なる表示態様で表示するよう制御する、
請求項１に記載の情報制御装置。
【請求項３】
前記異なる表示態様は、前記変更後の排出先の場所を前記他の排出先の場所と比較して、強調表示された表示態様、又は何等かの情報を装飾的に付加して表示された表示態様である、
請求項２に記載の情報制御装置。
【請求項４】
前記受付手段は、前記印刷指示による印刷が停止している間に前記排出先の変更を受け付ける、
請求項１から３のいずれか１項に記載の情報制御装置。
【請求項５】
前記排出先の変更内容と変更日時とを含む履歴情報を記録する記録手段、
をさらに備えた請求項１から４のいずれか１項に記載の情報制御装置。
【請求項６】
前記受付手段は、前記変更後の排出先を、前記指定された排出先に戻すことが可能に記憶媒体に記憶する、
請求項１から５のいずれか１項に記載の情報制御装置。
【請求項７】
前記印刷装置が前記印刷指示の実行中に排出先を変更するための画面が操作されたとき、前記制御手段は、印刷の停止の指示を促すメッセージを表示する、
請求項１から６のいずれか１項に記載の情報制御装置。
【請求項８】
前記印刷指示が後処理を含み、前記変更後の排出先が前記後処理に対応していない場合は、前記制御手段は、前記後処理を行わずに前記変更後の排出先に排出するよう制御する、
請求項１から７のいずれか１項に記載の情報制御装置。
【請求項９】
印刷装置と、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段と、
を備えた印刷システム。
【請求項１０】
印刷装置を制御するコンピュータを、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段、
として機能させるためのプログラム。
【発明の詳細な説明】
【技術分野】
【０００１】
本発明は、情報制御装置、印刷システム及びプログラムに関する。
【背景技術】
【０００２】
近年、複数の排出先のうち指定された排出先に排出する画像形成装置及び画像形成システムが提案されている（例えば、特許文献１、２、３参照。）。
【０００３】
特許文献１に記載された画像形成装置は、特定のトレイにしか排紙できないような特殊な用紙を出力する場合において、出力開始前に特殊な用紙が含まれていると判断できる場合は、そのジョブ全ての用紙を、指示されたトレイではなく特定のトレイに出力し、予め特殊用紙の存在が判断できずに出力段階で特殊用紙であると判断された場合は、以降の用紙全てを、指示されたトレイではなく特定のトレイに出力するように制御を行う制御手段を備える。
【０００４】
特許文献２に記載された画像形成システムは、複数部のジョブ指令に基づき用紙に画像を転写して転写紙を排出する画像形成装置と、画像形成装置から排出された転写紙に部数毎にステープル処理を実行可能な後処理装置とを備え、後処理装置がステープル処理を行う設定がなされた状態において所定の障害が発生し、ステープル処理の設定が解除された場合に、次の部数以降の転写紙の排出先を画像形成装置側の最短排出先に変更する排出先変更手段とを備える。
【０００５】
特許文献３に記載された画像形成装置は、実行対象の印刷ジョブで指定された排紙トレイに用紙が積載されている場合に、上記実行対象の印刷ジョブで指定された排紙トレイと同じ排紙トレイが指定され、かつ、上記実行対象の印刷ジョブより後に印刷が実行される後続の印刷ジョブが存在する場合には、上記実行対象の印刷ジョブによる用紙の排出先を、上記実行対象の印刷ジョブで指定された排紙トレイから他の排紙トレイに変更するように制御を行う制御部を備える。
【先行技術文献】
【特許文献】
【０００６】
【特許文献１】特開２００５−６６９９６号公報
【特許文献２】特開２００８−２６５９７３号公報
【特許文献３】特開２０１３−５２５９３号公報
【発明の概要】
【発明が解決しようとする課題】
【０００７】
印刷指示による印刷の途中で確認等のために印刷された用紙の排出先として、指定された排出先が変更された場合、ユーザは排出先が装置の誤動作で変更になったのか、その後の印刷指示によって排出先が強制的に変更されたのかが把握できない場合がある。
【０００８】
本発明の課題は、印刷の途中で、確認等のために印刷された用紙用として指定された排出先が変更された場合に、変更された排出先の場所を識別可能に表示する情報制御装置、印刷システム及びプログラムを提供することにある。
【課題を解決するための手段】
【０００９】
［１］印刷装置を制御する情報制御装置であって、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段と、
を備えた情報制御装置。
［２］前記制御手段は、前記用紙の排出先の変更が、前記期間に受け付けられた場合、前記変更後の排出先の場所を他の排出先の場所と異なる表示態様で表示するよう制御する、前記［１］に記載の情報制御装置。
［３］前記異なる表示態様は、前記変更後の排出先の場所を前記他の排出先の場所と比較して、強調表示された表示態様、又は何等かの情報を装飾的に付加して表示された表示態様である、前記［２］に記載の情報制御装置。
［４］前記受付手段は、前記印刷指示による印刷が停止している間に前記排出先の変更を受け付ける、前記［１］から［３］のいずれかに記載の情報制御装置。
［５］前記排出先の変更内容と変更日時とを含む履歴情報を記録する記録手段、をさらに備えた前記［１］から［４］のいずれかに記載の情報制御装置。
［６］前記受付手段は、前記変更後の排出先を、前記指定された排出先に戻すことが可能に記憶媒体に記憶する、前記［１］から［５］のいずれかに記載の情報制御装置。
［７］前記印刷装置が前記印刷指示の実行中に排出先を変更するための画面が操作されたとき、前記制御手段は、印刷の停止の指示を促すメッセージを表示する、前記［１］から［６］のいずれかに記載の情報制御装置。
［８］前記印刷指示が後処理を含み、前記変更後の排出先が前記後処理に対応していない場合は、前記制御手段は、前記後処理を行わずに前記変更後の排出先に排出するよう制御する、前記［１］から［７］のいずれかに記載の情報制御装置。
［９］印刷装置と、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段と、を備えた印刷システム。
［１０］印刷装置を制御するコンピュータを、
印刷指示ごとに指定された印刷後の用紙の排出先の変更を受け付ける受付手段と、
前記用紙の排出先の変更が、前記印刷指示の実行中の期間に受け付けられた場合、前記受付手段により受け付けられた変更後の排出先の場所を識別可能に表示するよう制御し、前記用紙の排出先の変更が、前記期間以外に受け付けられた場合、前記受付手段により受け付けられた変更後の排出先の場所を識別可能に表示しないよう制御する制御手段、として機能させるためのプログラム。
【発明の効果】
【００１０】
請求項１、９、１０に係る発明によれば、印刷の途中で、確認等のために印刷された用紙用として指定された排出先が変更された場合に、変更された排出先の場所を識別可能に表示することができ、印刷指示を停止せずに印刷を行うモードでも排出先を変更することができる。
請求項２、３に係る発明によれば、変更後の排出先の場所を他の排出先の場所に対して 識別可能に表示することができる。
請求項４に係る発明によれば、印刷指示による印刷が停止した理由を考慮して排出先を 変更することができる。
請求項５に係る発明によれば、変更前の排出先、変更後の排出先、排出先の変更日時等 を知ることができる。
請求項６に係る発明によれば、キューごとに排出先が異なる場合でも、印刷指示の排出先に戻すことができる。
請求項７に係る発明によれば、印刷を停止させた後に変更した排出先を、自動的な排出先の変更と区別することができる。
請求項８に係る発明によれば、印刷を再開して印刷された用紙の後処理をオフラインで行うことができる。
【図面の簡単な説明】
【００１１】
【図１】図１は、本発明の第１の実施の形態に係る印刷システムの構成例を示す図である。
【図２】図２は、プリントサーバの制御系の一例を示すブロック図である。
【図３】図３（ａ）、（ｂ）は、モニタに表示される設定画面の一例を示す図である。
【図４】図４（ａ）〜（ｃ）は、モニタに表示される設定画面の一例を示す図である。
【図５】図５（ａ）〜（ｃ）は、モニタに表示される設定画面の一例を示す図である。
【図６】図６は、モニタに表示される警告画面の一例を示す図である。
【図７】図７は、操作ログ情報の一例を示す図である。
【図８】図８は、第１の実施の形態に係るプリントサーバの動作の一例を示すフローチャートである。
【図９】図９は、本発明の第２の実施の形態に係るプリントサーバの制御系の一例を示す図である。
【図１０】図１０は、モニタに表示されるジョブ履歴情報の一例を示す図である。
【図１１Ａ】図１１Ａは、第２の実施の形態に係るプリントサーバの動作の一例を示すフローチャートである。
【図１１Ｂ】図１１Ｂは、第２の実施の形態に係るプリントサーバの動作の一例を示すフローチャートである。
【図１１Ｃ】図１１Ｃは、第２の実施の形態に係るプリントサーバの動作の一例を示すフローチャートである。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［実施の形態の要約］
本実施の形態に係る情報制御装置は、印刷指示による印刷の途中で印刷された用紙を印刷指示とは別に指定された排出先に排出する印刷装置を、制御する情報制御装置であって、指定された排出先の変更を受け付ける受付手段と、受付手段により受け付けられた変更後の排出先の場所を識別可能に表示するよう制御する制御手段とを備える。
【００１４】
印刷の途中で印刷された用紙を排出する場合には、例えば、故障、用紙切れ等により印刷を停止すべき場合、ユーザの操作により印刷の停止が指示された場合、印刷を停止せずに印刷指示（以下、印刷ジョブともいう。）に基づく印刷中にサンプルシートを挿入する場合等が該当する。
【００１５】
排出先の指定は、印刷ジョブのヘッダ情報で行う場合と、ヘッダ情報に続くデータストリームで行う場合とがある。また、排出先の指定は、印刷ジョブごとに行ってもよく、指定された排出先の変更は、印刷ジョブごとに行ってもよい。排出先の変更は、印刷ジョブによる印刷中、印刷が一時停止している間、又は印刷ジョブによる印刷開始前でもよい。排出先の変更は、当該印刷ジョブ及びその後に実行される印刷ジョブに適用してもよく、印刷ジョブごとに適用してもよい。
【００１６】
サンプルシートは、例えば、印刷ジョブに含まれるページのうち確認したいページ（以下、再開ページともいう。）がサンプルとして印刷（以下、サンプルプリントともいう。）され、排出先に排出されるものである。
【００１７】
変更後の排出先の場所を識別可能に表示する方法として、例えば、変更後の排出先の場所を他の排出先の場所と異なる表示態様で表示する方法がある。異なる表示態様とは、変更後の排出先を視覚的に識別可能に表示する態様をいう。異なる表示態様には、例えば、色を変える、着色する、点滅させる、ハイライト表示する、アニメーション表示する、濃度を変える（例えば、選択された排出先以外をハーフトーンにする）等の強調表示や、何らかの情報（例えば、文字、記号、図形、付箋、矢印、目印、輪郭線等）を装飾的に付加する表示等がある。
【００１８】
変更後の排出先の場所は、例えば、指定された排出先を変更したとき、変更された排出先にサンプルシートを排出したとき、表示要求があったとき等に表示される。なお、変更後の排出先の場所は、印刷ジョブの実行中に常に表示されてもよいし、指定した排出先を変更した後に継続して表示しておくものでもよい。
【００１９】
［第１の実施の形態］
図１は、本発明の第１の実施の形態に係る印刷システムの構成例を示す図である。この印刷システム１は、印刷処理を行うプリンタ２と、プリンタ２を制御するプリントサーバ３と、プリントサーバ３に接続され、モニタ４Ａ及び入力デバイス４Ｂから構成されたユーザ表示部４と、複数の端末装置としてのパーソナルコンピュータ（ＰＣ）６とを備える。プリンタ２は、印刷装置の一例である。プリントサーバ３は、情報制御装置の一例である。
【００２０】
プリントサーバ３及びＰＣ６は、例えば、インターネット８に接続されたＬＡＮ（ローカル・エリア・ネットワーク）等のネットワーク７によって互いに接続されている。プリンタ２とプリントサーバ３とは、例えば、ＬＡＮ等のネットワーク９を介して接続されている。
【００２１】
プリンタ２は、用紙を印刷部２１に給紙する給紙部２０と、印刷部２１により印刷された用紙に後処理を施す後処理装置２２と、印刷された用紙を排出する複数の排出先とを備える。給紙部２０は、複数の給紙トレイ２０ａを有する。複数の給紙トレイ２０ａの一つとして、予め出力順序が定められたインデックス紙の用紙のみを収容した専用の給紙トレイ２０ａを用いてもよい。インデックス紙とは、一部が突出した用紙であって、一部に情報が印刷される用紙をいう。なお、プリンタ２は、後処理装置を備えていない構成でもよい。排出先は、集積部の一例である。
【００２２】
プリンタ２が有する排出先には、例えば、スタッカートレイ１（２３Ａ）、スタッカートレイ２（２３Ｂ）、スタッカー排出トレイ１（２４Ａ）、スタッカー排出トレイ２（２４Ｂ）、フィニッシャートレイ２５、フィニッシャー排出トレイ２６、及び外部フィニッシャー２７等がある。スタッカートレイ２３Ａ、２３Ｂ及びフィニッシャートレイ２５は、大量の印刷物を集積可能に構成されている。スタッカー排出トレイ２４及びフィニッシャー排出トレイ２６は、プリンタ２の上部に設けられたトップトレイであり、少量の印刷物を集積可能に構成されている。トップトレイは、特定の集積部の一例である。
【００２３】
プリントサーバ３は、ＰＣ６からネットワーク７を介して送信された印刷ジョブを受け取り、ネットワーク９を介してプリンタ２にその印刷ジョブに従った印刷を行わせるための制御を行う。すなわち、プリントサーバ３は、例えば、ＰＣ６から送信される印刷ジョブの印刷順序を管理するとともに、印刷ジョブに含まれる印刷データをプリンタ２が処理可能な画像データに変換する処理を行う。
【００２４】
ユーザ表示部４のモニタ４Ａは、液晶ディスプレイ、有機ＥＬディスプレイ等のディスプレイを用いることができる。ユーザ表示部４の入力デバイス４Ｂは、マウス、キーボード等を用いることができる。なお、モニタ４Ａは、入力と表示が可能なタッチパネルモニタでもよい。この場合、入力デバイス４Ｂを省いてもよい。
【００２５】
図２は、プリントサーバ３の制御系の一例を示すブロック図である。プリントサーバ３は、プリンタ制御部３０、記憶部３１、ジョブ制御部３２、画像処理部３３、ビデオＩ／Ｆ（インターフェース）３４、入力Ｉ／Ｆ（インターフェース）３５、ネットワークＩ／Ｆ（インターフェース）３６Ａ、３６Ｂ等を含んで構成されている。
【００２６】
プリンタ制御部３０は、ＣＰＵ（Central Processing Unit）、インターフェース、メモリ等から構成されている。ＣＰＵは、記憶部３１に記憶されているプログラム３１０に従って動作することにより、受付手段３０１、記録手段３０２、表示制御手段３０３、トレイ制御手段３０４等として機能する。表示制御手段３０３及びトレイ制御手段３０４は、制御手段の一例である。各手段３０１〜３０４の詳細については、後述する。
【００２７】
また、プリンタ制御部３０は、プリンタ２から障害発生時に障害の内容を示す障害情報の通知を受ける。これにより、印刷ジョブは一時停止する。プリンタ２における障害が解消すると、プリンタ制御部３０は、プリンタ２から障害が解消したことを示す解消情報の通知を受ける。
【００２８】
記憶部３１は、ＲＯＭ（Read Only Memory）、ＲＡＭ（Random Access Memory）、ハードディスク等から構成され、プログラム３１０やトレイ情報３１１、操作ログ情報３１２（図７参照）等の各種の情報が記憶されている。操作ログ情報３１２は、履歴情報の一例である。
【００２９】
操作ログ情報３１２は、排出先の変更内容（変更前、変更後）と日時とを含む。
【００３０】
トレイ情報３１１は、プリンタ２が有する給紙トレイ２０ａ及び排出先の情報を含む。給紙トレイ２０ａの情報は、例えば、給紙トレイ２０ａの名称等の識別情報と、給紙トレイ２０ａの識別情報に対応して給紙トレイ２０ａに収容されている用紙の紙種（種類ともいう。）、サイズ、用紙の搬送方向に対する向き等の用紙に関する情報とを含む。排出先の情報は、例えば、排出先の名称等の識別情報を含む。
【００３１】
ジョブ制御部３２は、ＰＣ６から印刷ジョブを受信し、印刷ジョブの印刷順序を管理するとともに、プリンタ制御部３０に印刷ジョブの実行を指示する。印刷ジョブは、例えば、ヘッダ情報と、これに続く印刷データとから構成されている。印刷データは、文書データをプリンタ２が解釈可能なページ記述言語（例えば、ＰＤＬ：Page Description Language）で記述したページ単位のデータである。ヘッダ情報は、給紙トレイ、排出先、印刷制御情報等を含む。
【００３２】
画像処理部３３は、印刷データに対して、プリンタ２の印刷に必要な画像処理を行う。このような画像処理として、例えば、ＰＤＬの解釈処理、ＰＤＬで記述された印刷データをラスターデータからなる画像データに変換するＲＩＰ（Raster Image Processor）処理等を行う。
【００３３】
受付手段３０１は、モニタ４Ａに表示された画面に対する操作を受け付ける。また、受付手段３０１は、印刷ジョブに含まれるページのうち確認したい再開ページを印刷したサンプルシートの排出先の指定を受け付ける。また、受付手段３０１は、印刷ジョブの実行が一時停止した際、又は印刷ジョブの実行を開始する前に、指定された排出先の変更を受け付ける。また、受付手段３０１は、変更された排出先を、指定された排出先に戻すことが可能なようにメモリに記憶する。
【００３４】
記録手段３０２は、排出先の変更内容と変更日時とを含む操作ログ情報３１２（図７参照）を記憶部３１に記録する。
【００３５】
表示制御手段３０３は、モニタ４Ａに対する表示制御を行う。具体的には、表示制御手段３０３は、予め定められた理由により印刷が停止したこと（例えば、一時停止中）を表示するとともに、変更された排出先の場所を他の排出先の場所と異なる表示態様で表示するようモニタ４Ａを制御する。また、表示制御手段３０３は、操作ログ情報３１２の表示要求があると、記憶部３１から操作ログ情報３１２を読み出し、モニタ４Ａに表示するよう制御する。また、表示制御手段３０３は、プリンタ２が印刷ジョブの実行中に排出先を変更するための選択画面が操作されたとき、印刷の停止の指示を促すメッセージをモニタ４Ａに表示する。
【００３６】
トレイ制御手段３０４は、変更された排出先を、現在印刷が停止中の印刷指示、及び今度実行する印刷指示に適用するようプリンタ２を制御する。また、トレイ制御手段３０４は、印刷ジョブが後処理を含み、変更された排出先が後処理に対応していない場合は、後処理を行わずに変更された排出先に排出するよう制御する。
【００３７】
（第１の実施の形態の動作）
次に、第１の実施の形態に係る印刷システム１の動作の一例を図３〜図８を参照して説明する。図３〜図６は、モニタ４Ａに表示される設定画面の一例を示す図である。図８は、プリントサーバ３の動作の一例を示すフローチャートである。
【００３８】
プリンタ２が印刷ジョブを実行中に何らかの理由（故障、用紙切れ等）により印刷が一時停止すると（Ｓ１）、表示制御手段３０３は、モニタ４Ａに、図３（ａ）に示す印刷一時停止時の設定画面を表示する。この設定画面１００には、一時停止中であることを示すメッセージ１０１と、印刷停止ボタン１０２と、印刷再開ボタン１０３と、操作メニューアイコン１１０と、プリンタ２の外観を示すイメージ図１２０とが設けられている。なお、印刷中に印刷停止ボタン１０２を操作した場合も印刷が一時停止中となる。
【００３９】
次に、オペレータが設定画面１００の操作メニューアイコン１１０を操作すると、図３（ｂ）に示すように、操作メニュー１１１が表示される。操作メニュー１１１には、「プリント処理」、「処理中のジョブのサンプルページ出力」、「アライメント調整」、「排出先の上書き指定」等の項目が含まれている。
【００４０】
オペレータが操作メニュー１１１から「排出先の上書き指定」の項目を選択すると（Ｓ２）、表示制御手段３０３は、図４（ａ）に示すように、排出先の上書き指定のダイアログ１１２を表示する。このダイアログ１１２のプルダウンメニュー１１３から、排出先として、「ジョブ設定を使用」、「フィニッシャー排出トレイ」、「スタッカ―排出トレイ１」、「スタッカー排出トレイ２」、「フィニッシャートレイ」、「スタッカートレイ１」、「スタッカートレイ２」、「スタッカートレイ（自動切換え）」、又は「外部フィニッシャー」のいずれかを選択できるようになっている。「スタッカートレイ（自動切換え）」を選択した場合は、２つのスタッカートレイ２３Ａ、２３Ｂが交互に使用される。
【００４１】
ここで、オペレータが例えば「スタッカー排出トレイ２」を選択すると、図４（ｂ）に示すように、排出先が「スタッカー排出トレイ２」となり、「ＯＫ」ボタン１１２ａを操作すると（Ｓ３）、プリンタ制御部３０は、変更内容が実行中の印刷ジョブ及び今後実行する印刷ジョブに反映して適用されるよう制御する。なお、図４（ｂ）中、「キャンセル」ボタン１１２ｂは、選択内容をキャンセルするためのものである。
【００４２】
現在、プリンタ制御部３０は、印刷中の印刷ジョブが存在するか否かを判断し（Ｓ４）、存在する場合は（Ｓ４：Ｙｅｓ）、表示制御手段３０３は、図４（ｃ）に示すように、モニタ４Ａに警告画面１１４を表示する（Ｓ５）。警告画面１１４には、「この変更は処理中のジョブに適用されます。よろしいですか？」のメッセージ１１４ａと、「はい」ボタン１１４ｂと、「いいえ」ボタン１１４ｃとが設けられている。
【００４３】
「はい」ボタン１１４ｂを操作して処理中の印刷ジョブへの適用を許可すると（Ｓ６）、図５に示すように、表示制御手段３０３は、変更された排出先を他の排出先と異なる表示態様で表示するようモニタ４Ａを制御する（Ｓ７）。
【００４４】
図５（ａ）は、排出先がスタッカー排出トレイ２（２４Ｂ）に変更された設定画面１００の表示例を示し、図５（ｂ）は、排出先がスタッカートレイ１（２３Ａ）に変更された設定画面１００の表示例を示し、図５（ｃ）は、排出先がフィニッシャートレイ２５に変更された設定画面１００の表示例を示す。
【００４５】
図５に示す場合は、変更された排出先を他の排出先の色（例えば、灰色）と異なる色（例えば水色）で表示している。なお、これらの表示態様に限られない。例えば、変更された排出先をハイライト等の他の色で着色してもよく、点滅させてもよい。設定画面１００には、変更された排出先が他の排出先と異なる色で表示されているが、「一時停止中」のメッセージ１０１も表示されている。「一時停止中」のメッセージ１０１により、ユーザは排出先が装置の誤動作で変更になったものではないことが理解できる。また、変更された排出先が他の排出先と異なる色で表示されることにより、ユーザは第三者の操作によって排出先が強制的に変更されたことが理解できる。
【００４６】
印刷再開ボタン１０３を操作すると、プリンタ制御部３０は、印刷を再開する（Ｓ８）。印刷された用紙は、上記ステップＳ３において指定された排出先（スタッカー排出トレイ２）に排出される。
【００４７】
上記ステップＳ１において、印刷が一時停止中でない場合に（Ｓ１：Ｎｏ）、ステップＳ２で説明したように、排出先の上書き指定が選択されると（Ｓ９：Ｙｅｓ）、表示制御手段３０３は、図６に示すように、モニタ４Ａに警告画面１１５を表示する（Ｓ１０）。
【００４８】
図６に示す警告画面１１５には、「この操作はプリント処理を一時停止する必要があります。プリント処理を停止します。よろしいですか？」のメッセージ１１５ａと、「はい」ボタン１１５ｂと、「いいえ」ボタン１１５ｃとが設けられている。「はい」ボタン１１５ｂを操作すると、プリンタ制御部３０は、印刷ジョブを一時停止するようプリンタ２を制御する。モニタ４Ａの画面は、図３（ｂ）に示す一時停止中の設定画面１００に遷移する。その後は、ステップＳ３以降の処理が行われる。
【００４９】
図７は、操作ログ情報の一例を示す図である。同図に示す操作ログ情報３１２は、記録手段３０２によって記録され、記憶部３１に記録されたものである。図７に示す操作ログ情報３１２から、操作メニュー１１１から排出先の上書き指定を選択した操作、排出先の上書き指定のダイアログ１１２からフィニッシャートレイを選択した操作、「ＯＫ」ボタン１１２ａの操作等が操作ログ情報３１２として記録されていることが分かる。表示制御手段３０３は、ユーザから操作ログ情報３１２の表示要求があった場合は、記憶部３１から操作ログ情報３１２を読み出し、モニタ４Ａに表示する。
【００５０】
［第２の実施の形態］
図９は、本発明の第２の実施の形態に係るプリントサーバの制御系の一例を示す図である。第１の実施の形態では、排出先の変更を操作ログ情報として記録したが、本実施の形態は、ジョブ履歴情報として記録するものである。また、第１の実施の形態では、排出先の情報を印刷ジョブのヘッダ情報に記録させたが、本実施の形態は、データストリ−ムに記録可能としたものである。以下、第１の実施の形態と異なる点を中心に説明する。
【００５１】
この印刷システム１は、第１の実施の形態と同様に、プリンタ２と、プリントサーバ１３と、モニタ４Ａ及び入力デバイス４Ｂを有するユーザ表示部４とを備える。
【００５２】
プリントサーバ１３は、第１の実施の形態と同様に、プリンタ制御部３０と、記憶部３１と、ジョブ制御部３２と、画像処理部３３と、ビデオＩ／Ｆ３４と、入力Ｉ／Ｆ３５と、ネットワークＩ／Ｆ３６Ａ、３６Ｂとを備える。
【００５３】
ユーザ表示部４は、ジョブプロパティで指定された排出先、及び排出先の上書き指定をプリンタ制御部３０に通知し、排出先の上書き指定を反映したプリンタ２の外観を示すイメージ図を表示する。すなわち、ユーザ表示部４は、排出先の上書き（変更）を指示するためのユーザインタフェース（ＵＩ）となる。
【００５４】
プリンタ制御部３０は、ＣＰＵ（Central Processing Unit）、インターフェース、メモリ等から構成されている。ＣＰＵは、記憶部２１に記憶されているプログラム３１０に従って動作することにより、受付手段３０１、記録手段３０２、表示制御手段３０３、トレイ制御手段３０４等として機能する。表示制御手段３０３及びトレイ制御手段３０４は、制御手段の一例である。
【００５５】
プリンタ制御部３０は、ページ情報、給紙先、排出先等をプリンタ２に送信して印刷の開始を指示する。プリンタ制御部３０は、印刷ジョブの完了後に、印刷ジョブの情報、及び排出先の上書き指定の有無をジョブ制御部３２に通知する。
【００５６】
記憶部３１には、プログラム３１０やトレイ情報３１１、操作ログ情報３１２、ジョブ履歴情報３１３等の情報が記憶されている。ジョブ履歴情報３１３は、履歴情報の一例である。
【００５７】
ジョブ制御部３２は、ＰＣ６から印刷ジョブを受信する。印刷ジョブは、例えば、ヘッダ情報（ジョブプロパティともいう。）と、これに続く印刷データ（データストリームともいう。）とから構成されている。印刷データの形式は、文書データをプリンタ２が解釈可能なページ記述言語（例えば、ＰＤＬ：Page Description Language）で記述したページ単位のデータである。ジョブプロパティは、排出先、印刷制御情報等を含む。なお、データストリームにもページごとに排出先、印刷制御情報等が指定される場合がある。
【００５８】
ジョブ制御部３２は、印刷ジョブの実行をプリンタ制御部３０に指示する。ジョブ制御部３２は、ユーザ表示部４から要求があった場合は、当該印刷ジョブの履歴をユーザ表示部４に通知する。
【００５９】
記録手段３０２は、本機能「排出先の上書き」で排出先の変更が行われたのか、トラブルにより不正な排出先が使用されたのかを明確にするため、排出先の上書きが行われたことをジョブ履歴情報３１３に記録する。
【００６０】
表示制御手段３０３は、排出先変更の戻し忘れを抑制するため、「ジョブ設定を使用」以外で排出先の上書きが行われた場合、モニタ４Ａに表示されたプリンタ２の外観を示すイメージ図１２０上にそのことを示すマーク等の情報を表示する。なお、当該情報は、マークに限られない。
【００６１】
トレイ制御手段３０４は、排出先の上書き指定がされると、その排出先を現在処理中の印刷ジョブ、及び今後受信する全ての印刷ジョブの排出先に適用するよう制御する。排出先の上書き指定メニューの「ジョブ設定を使用」で、変更した排出先を元の排出先に戻すことができるようになっている。また、トレイ制御手段３０４は、後処理装置２２の一例としてのホチキス装置が壊れた場合の緊急回避としても対応するため、後処理を含む印刷ジョブが後処理機能のない排出先に変更された場合は、後処理無しの状態に変更して排出を行うよう制御する。この場合、オフラインで後処理を行う。
【００６２】
トレイ制御手段３０４は、ジョブ制御部３２が受け付けた印刷ジョブのデータストリームから排出先を取得する。トレイ制御手段３０４は、ジョブプロパティで指定された排出先と、データストリームで指定された排出先、及び排出先の上書き指定から、排出先を決定する。
【００６３】
（第２の実施の形態の動作）
次に、第２の実施の形態に係る印刷システム１の動作の一例を図１０、図１１を参照して説明する。図１０は、モニタ４Ａに表示されるジョブ履歴情報の一例を示す図である。図１１は、プリントサーバ１３の動作の一例を示すフローチャートである。
【００６４】
ジョブ制御部３２からプリンタ制御部３０に印刷ジョブの実行が指示される（Ｓ２１）。プリンタ制御部３０は、印刷ジョブに含まれるジョブプロパティから排出先及び印刷制御情報を取得する（Ｓ２２）。
【００６５】
続いて、プリンタ制御部３０は、データストリームから１ページ分の印刷データ及び印刷制御情報を取得し（Ｓ２３）、データストリームに排出先が指定されているか否かを判断する（Ｓ２４）。データストリームに排出先が指定されている場合は（Ｓ２４：Ｙｅｓ）、トレイ制御手段３０３は、データストリームの排出先をジョブ設定の排出先としてメモリに記憶する（Ｓ２５）。データストリームに排出先が指定されていない場合は（Ｓ２４：Ｎｏ）、トレイ制御手段３０３は、ジョブプロパティで指定された排出先をジョブ設定の排出先としてメモリに記憶する（Ｓ２６）。すなわち、データストリームで指定された排出先をジョブプロパティで指定された排出先よりも優先させる。
【００６６】
次に、プリンタ制御部３０は、後処理が指定されているか否かを判断する（Ｓ２７）。後処理が指定されている場合は（Ｓ２７：Ｙｅｓ）、プリンタ制御部３０は、後処理の指示情報をメモリに記憶する（Ｓ２８）。後処理が指定されていない場合は（Ｓ２７：Ｎｏ）、図１１Ｂに示す処理に進む。
【００６７】
図１１Ｂに示すように、トレイ制御手段３０４は、排出先の上書きが設定されているか否かを判断する（Ｓ２９）。排出先の上書きが設定されている場合は（Ｓ２９：Ｙｅｓ）、トレイ制御手段３０４は、「ジョブ設定を使用」が選択されているか否かを判断する（Ｓ３０）。「ジョブ設定を使用」が選択されていない場合は（Ｓ３０：Ｎｏ）、トレイ制御手段３０４は、上書き設定された排出先を現在の排出先としてメモリに記憶する（Ｓ３１）。
【００６８】
次に、プリンタ制御部３０は、後処理が指定されているか否かを判断する（Ｓ３２）。後処理が指定されている場合は（Ｓ３２：Ｙｅｓ）、トレイ制御手段３０３は、現在の排出先（上書き設定された排出先）で後処理が可能か否かを判断する（Ｓ３３）。後処理が不可能な場合は（Ｓ３３：Ｎｏ）、プリンタ制御部３０は、メモリに記憶しておいた後処理の指示情報を消去する（Ｓ３４）。
【００６９】
上記ステップＳ２９において、排出先の上書きが設定されていない場合（Ｓ２９：Ｎｏ）、及び上記ステップＳ３０において、「ジョブ設定を使用」が選択されている場合は（Ｓ３０：Ｙｅｓ）、トレイ制御手段３０４は、ジョブ設定の排出先を現在の排出先としてメモリに記憶する（Ｓ３５）。
【００７０】
次に、プリンタ制御部３０は、後処理が指定されているか否かを判断し（Ｓ３６）、後処理が指定されている場合は（Ｓ３６：Ｙｅｓ）、現在の排出先で後処理が可能か否かを判断する（Ｓ７）。後処理が不可能な場合は（Ｓ３７：Ｎｏ）、プリンタ制御部３０は、印刷ジョブをエラーとして処理を中止する（Ｓ３８）。
【００７１】
上記ステップＳ３６において、後処理が指定されていない場合（Ｓ３６：Ｎｏ）、及び上記ステップＳ３７において、後処理が可能である場合は（Ｓ３７：Ｙｅｓ）、図１１Ｃに示す処理に進む。
【００７２】
図１１Ｃに示すように、プリンタ制御部３０は、現在のページはセットの先頭か否かを判断する（Ｓ３９）。セットの先頭である場合は（Ｓ３９：Ｙｅｓ）、プリンタ制御部３０は、そのことをプリンタ２に通知する（Ｓ４０）。
【００７３】
次に、プリンタ制御部３０は、後処理の指示情報が存在するか否かを判断し（Ｓ４１）、存在する場合は（Ｓ４１：Ｙｅｓ）、後処理の情報をプリンタ２に送信する（Ｓ４２）。トレイ制御手段３０３は、排出先として、現在の排出先をプリンタ２に送信する（Ｓ４３）。プリンタ制御部３０は、ページの情報をプリンタ２に送信する（Ｓ４４）。プリンタ制御部３０は、現在のページは、セットの最後か否かを判断し（Ｓ４５）、最後であれば（Ｓ４５：Ｙｅｓ）、そのことをプリンタ２に通知する（Ｓ４６）。以上の処理を現在のページが印刷ジョブの最後となるまで繰り返す（Ｓ４７）。
【００７４】
以上、本発明の実施の形態を説明したが、本発明の実施の形態は上記実施の形態に限定されるものではなく、本発明の要旨を変更しない範囲内で種々の変形、実施が可能である。例えば、プリントサーバ３が有する機能をコントローラとしてプリンタ２が有していてもよい。また、上記実施の形態では、印刷ジョブを一時停止してサンプルプリントを行う場合について説明したが、本発明は印刷ジョブを停止せずに印刷ジョブの実行中にサンプルプリントを行う場合にも適用できる。
【００７５】
プリントサーバ３のプリンタ制御部３０は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００７６】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００７７】
１…印刷システム、２…プリンタ、３…プリントサーバ、４…ユーザ表示部、４Ａ…モニタ、４Ｂ…入力デバイス、７…ネットワーク、８…インターネット、９…ネットワーク、２０…給紙部、２０ａ…給紙トレイ、２１…印刷部、２２…後処理装置、２３Ａ、２３Ｂ…スタッカートレイ、２４Ａ、２４Ｂ…スタッカー排出トレイ、２５…フィニッシャートレイ、２６…フィニッシャー排出トレイ、２７…外部フィニッシャー、３０…プリンタ制御部、３１…記憶部、３２…ジョブ制御部、３３…画像処理部、３４…ビデオＩ／Ｆ、３５…入力Ｉ／Ｆ、３６Ａ、３６Ｂ…ネットワークＩ／Ｆ、１００…設定画面、１０１…メッセージ、１０２…印刷停止ボタン、１０３…印刷再開ボタン、１１０…操作メニューアイコン、１１１…操作メニュー、１１２…ダイアログ、１１３…プルダウンメニュー、１１４…警告画面、１１４ａ…メッセージ、１１４ｂ…「はい」ボタン、１１４ｃ…「いいえ」ボタン、１１５…警告画面、１１５ａ…メッセージ、１１５ｂ…「はい」ボタン、１１５ｃ…「いいえ」ボタン、１２０…イメージ図、３０１…受付手段、３０２…記録手段、３０３…表示制御手段、３０４…トレイ制御手段、３１０…プログラム、３１１…トレイ情報、３１２…操作ログ情報、３１３…ジョブ履歴情報
【図１】
0006988407.tif 000002
【図２】
0006988407.tif 000003
【図３】
0006988407.tif 000004
【図４】
0006988407.tif 000005
【図５】
0006988407.tif 000006
【図６】
0006988407.tif 000007
【図７】
0006988407.tif 000008
【図８】
0006988407.tif 000009
【図９】
0006988407.tif 000010
【図１０】
0006988407.tif 000011
【図１１Ａ】
0006988407.tif 000012
【図１１Ｂ】
0006988407.tif 000013
【図１１Ｃ】
0006988407.tif 000014